(57)【要約】【課題】エア溜り等により生じた発泡成形品の欠部を簡単に補修する。【解決手段】発泡成形品５の凸角部５ａに欠部Ｄが生じた場合、欠部Ｄを隠蔽するように箔体１３を貼着する。箔体１３としては一軸延伸合成樹脂フィルムとりわけ一軸延伸ポリエチレンフィルムが好適であり、一軸延伸方向を頂稜状凸角部５ａの延在方向と合致させて接着剤や粘着剤で貼着する。【選択図】図１
2008207373.tif 000002
【特許請求の範囲】
【請求項１】
凸角部を有する発泡成形品の該凸角部に生じた欠部を補修する方法おいて、該欠部を覆うように該凸角部に箔体を貼着することを特徴とする発泡成形品の補修方法。
【請求項２】
請求項１において、前記凸角部は頂陵状に延在しており、この頂陵の両側が平面又は凸角部から離れる方向にのみ湾曲した曲面となっていることを特徴とする発泡成形品の補修方法。
【請求項３】
請求項２において、前記頂陵状の凸角部の両側の面にまたがって箔体を貼着することを特徴とする発泡成形品の補修方法。
【請求項４】
請求項２又は３において、前記箔体は合成樹脂の箔体であることを特徴とする発泡成形品の補修方法。
【請求項５】
請求項４において、該箔体は一軸延伸フィルムよりなり、延伸方向が前記凸角部の延在方向と略平行方向となるように該箔体を貼着することを特徴とする発泡成形品の補修方法。
【請求項６】
請求項１ないし５のいずれか１項において、該発泡成形品は車両用シートパッドであり、前記凸角部は該シートパッドの底部に配置されていることを特徴とする発泡成形品の補修方法。
【発明の詳細な説明】
【技術分野】
【０００１】
本発明は、車両用シートクッションなどの発泡成形品の欠部を補修する方法に関するものである。
【背景技術】
【０００２】
車両用シートパッドを成形する場合、金型（モールド）内にてウレタン原液を発泡させる。
【０００３】
この車両用シートパッドとして、底面にバックボードを設けたものがある。第４図（ａ）〜（ｃ）は、かかるバックボード付きシートパッドの成形方法を説明するものである。
【０００４】
第４図（ａ）の通り、金型１は下型２と上型３，４とからなる。下型２内にウレタン原液Ｒを入れた後、上型３，４を型締めし、加熱発泡させる。発泡後、脱型することにより、第４図（ｂ）に示す発泡成形品５Ａが得られる。この発泡成形品５Ａに対し第４図（ｃ）の通りバックボード６を装着することにより、シートパッドとなる。なお、第４図（ｃ）ではシートパッドが車両搭載時とは上下逆に図示されている。
【０００５】
なお、発泡成形品５Ａの底面（図では上面）には、バックボード６の縁部が係合する凹段差部７が設けられている。符号５ａは、この段差部７が立ち下がることにより生じた凸角部を示す。上型４には、この凹段差部７を形成するためのＬ字形断面形状の凸段差部８が設けられている。
【０００６】
上記第４図の発泡成形品５Ａのように、上型４に凸段差部８が設けられていると、入り隅となる隅角部８ａ付近に、発泡しつつあるウレタンが十分に充填されず、隅角部８ａ付近によって形成される発泡成形品５Ａの凸角部５ａ付近にエア溜りが残り、欠肉部や空洞部分などの欠部が発生し易い。
【０００７】
このような欠部の発生を防止するために、金型にベントホールを設けることが知られている（下記特許文献１）が、金型の構成が複雑となる。
【０００８】
なお、欠部を補修するために、欠部付近をえぐり取って、形の整った切取形状部とし、この切取形状部に、予め成形しておいたスラブウレタンフォームなどよりなる発泡体小片を接着剤又は粘着剤で付着させ、次いで該小片の表面をカッターでカットして周囲と面一状とし、最後に不織布テープを貼り付けることがある。しかし、この補修方法も著しく手間がかかる。
【特許文献１】特開平１１−１０５０３７号
【発明の開示】
【発明が解決しようとする課題】
【０００９】
本発明は、このような欠部が生じた発泡成形品を簡易に補修する方法を提供することを目的とする。
【課題を解決するための手段】
【００１０】
請求項１の発泡成形品の補修方法は、凸角部を有する発泡成形品の該凸角部に生じた欠部を補修する方法おいて、該欠部を覆うように該凸角部に箔体を貼着することを特徴とするものである。
【００１１】
請求項２の発泡成形品の補修方法は、請求項１において、前記凸角部は頂陵状に延在しており、この頂陵の両側が平面又は凸角部から離れる方向にのみ湾曲した曲面となっていることを特徴とする。
【００１２】
請求項３の発泡成形品の補修方法は、請求項２において、前記頂陵状の凸角部の両側の面にまたがって箔体を貼着することを特徴とする。
【００１３】
請求項４の発泡成形品の補修方法は、請求項２又は３において、前記箔体は合成樹脂の箔体であることを特徴とする。
【００１４】
請求項５の発泡成形品の補修方法は、請求項４において、該箔体は一軸延伸フィルムよりなり、延伸方向が前記凸角部の延在方向と略平行方向となるように該箔体を貼着することを特徴とする。
【００１５】
請求項６の発泡成形品の補修方法は、請求項１ないし５のいずれか１項において、該発泡成形品は車両用シートパッドであり、前記凸角部は該シートパッドの底部に配置されていることを特徴とする。
【発明の効果】
【００１６】
本発明の発泡成形品の補修方法によると、凸角部に欠肉部や空洞部などの欠部が発生した場合、この欠部を覆うように箔体を貼着して欠部を隠蔽する。この箔体として、一軸延伸された合成樹脂フィルムを用い、延伸方向が頂稜状凸角部の延在方向と平行方向となるように貼着する場合、該一軸延伸フィルムよりなる箔体は凸角部に沿って容易に屈曲し、凸角部を挟んだ両側の面に容易に密着して貼着される。また、この一軸延伸フィルムはコシが強く、欠部を覆う部分が押されても全く又は殆ど変形しない。
【発明を実施するための最良の形態】
【００１７】
以下、図面を参照して実施の形態について説明する。第１図（ａ）は実施の形態に係る車両用シートパッドの前後方向の縦断面図であり、車両搭載時とは上下逆にしてシートパッドが図示されている。第１図（ｂ）は第１図（ａ）の凸角部付近の拡大図、第１図（ｃ）は欠部の補修後の断面図である。第２図はこの凸角部の補修後の拡大斜視断面図である。
【００１８】
この実施の形態では、発泡成形品５の凸角部５ａに若干の欠部Ｄが生じている。この凸角部５ａを挟んで凹段差部７側は平面１２であり、他方の側は緩く凸に湾曲した曲面１１よりなる。この曲面１１は、頂稜状の凸角部５ａから離れる方向において湾曲しているが、頂稜状凸角部５ａの延在方向と平行方向の断面は直線状である。
【００１９】
この頂稜状の凸角部５ａの一部に、残留エア又はガスに起因にした欠部Ｄが生じている。この欠部Ｄを覆うように箔体１３が貼着されている。この箔体１３は一軸延伸された合成樹脂フィルムよりなる。この箔体１３は、テープ状であり、粘着剤又は接着剤によって前記平面１２と曲面１３とにそれぞれ貼着されている。なお、箔体１３の一方の面に予め粘着剤を塗着して粘着剤層を形成し、この粘着剤層を離型紙で覆っておいてもよい。
【００２０】
この一軸延伸合成樹脂フィルムよりなる箔体１３は、延伸方向が頂稜状の凸角部５ａの延在方向となるように貼着される。この箔体１３の合成樹脂としてはポリエチレンが好適である。その厚みは１ｍｍ以下特に５０〜５００μｍとりわけ２００〜４００μｍ程度が好適である。
【００２１】
この箔体は、折り線が一軸延伸方向に沿う場合には、容易に塑性変形状に折り曲げることができる。即ち、折り曲げてから手を離しても、折り曲がった形状のままとなる。これとは逆に、折り線が一軸延伸方向と直交方向となる場合には、コシが極めて強い。即ち、曲げ弾性率が極めて高く、少々の外力を加えても、殆ど湾曲せず、しかも外力を解除すると元の形状に戻る。
【００２２】
従って、この一軸延伸合成樹脂で欠部を覆うことにより、シートパッドは欠部が無い正規品と同等に扱うことが可能となる。
【００２３】
なお、箔体としては一軸延伸合成樹脂フィルムが極めて好ましいが、金属箔体たとえばアルミ箔などを用いてもよい。
【００２４】
本発明はシートパッドの上記以外の箇所の凸角部の補修にも採用することができる。第３図はその一例を示すものであり、シートパッドの左右幅方向の縦断面の一部を拡大して示している。この第３図のシートパッドは、尻下部や腿下部などの腰掛部２１と、左右両サイドに沿って車両前後方向に延在するサイド土手部２２とを有する。このサイド土手部２２の下部２３の下端からは、中央側へ張出部２４が突設されている。この張出部２４には図示の如く多くの頂稜状の凸角部が存在し、欠部が発生することがある。ここで、この張出部に欠部が発生したときには、箔体１３を貼着することにより、欠部を隠蔽する。この場合、凸角部は車両前後方向（第３図の紙面と垂直方向）に延在するので、箔体として一軸延伸合成樹脂フィルムを用いるときには、一軸延伸方向が車両前後方向となるようにする。
【００２５】
上記実施の形態は本発明の一例であり、本発明は図示以外の形態をもとりうる。
【００２６】
上記実施の形態はシートパッドに関するものであるが、本発明はシートパッド以外の発泡成形品の補修にも適用可能である。
【図面の簡単な説明】
【００２７】
【図１】実施の形態を示す説明図であり、（ａ）図はシートパッドの縦断面図、（ｂ）図は（ａ）図の一部の拡大図、（ｃ）図は補修後の断面図である。
【図２】図１の補修部付近の斜視図である。
【図３】別の実施の形態に係るシートパッドの一部の縦断面図である。
【図４】従来例の説明図である。
【符号の説明】
【００２８】
１  金型
５，５Ａ  発泡成形品（シートパッド）
５ａ  凸角部
７  凹段差部（凹条）
１０  平面
１１  曲面
１３  箔体
【図１】
2008207373.tif 000003
【図２】
2008207373.tif 000004
【図３】
2008207373.tif 000005
【図４】
2008207373.tif 000006